(57)【特許請求の範囲】
【請求項１】
脚によって支持された支基と、
前記支基に、左右方向を向く枢軸をもって枢着され、水平、または後下向き傾斜する使用位置と、後上向き傾斜する不使用位置との間を回動可能とした座と、
前記座の後部に、左右方向を向く軸をもって下部が枢着され、起立位置と後傾位置とに回動可能とした背凭れと、
前記支基に設けられ、かつ座における前記枢軸より後部を上向きに付勢する付勢手段と、
前記支基における枢軸より下方の部分と背凭れにおける前記軸より下方の部分とを連結し、座の下向き回動時に背凭れの下端部を後方に押動することにより、背凭れを起立状態に維持し、また弾性収縮することにより、座に対する背凭れの後傾を可能とする、前後方向を向く弾性伸縮可能の押動杆
とを備える椅子において、
前記付勢手段を、一端が座の下面に固着され、かつ他端が支基における前記枢軸より下方の部分に止着されて、中間部がＵ字状をなして弾性撓曲するようにした左右１対の弾性撓曲手段を備えるものとし、この両弾性撓曲手段間に、前記押動杆を配設したことを特徴とする椅子。
【請求項２】
左右の弾性撓曲手段を、平面視において互いに後方に向かって拡開するように配設した請求項１記載の椅子。
【請求項３】
各弾性撓曲手段を板ばねとし、その一端部を座の下面に止着し、かつ他端部を、押動杆の前端部とともに、左右方向を向く共通の軸をもって支基に枢着した請求項１または２記載の椅子。
【請求項４】
脚によって支持された支基と、
前記支基に、左右方向を向く枢軸をもって前部が枢着され、水平、または後下向き傾斜する使用位置と、後上向き傾斜する不使用位置との間を回動可能とした座と、
前記座の後部に、左右方向を向く軸をもって下部が枢着され、起立位置と後傾位置とに回動可能とした背凭れと、
前記支基に設けられ、かつ座における前記枢軸より後部を上向きに付勢する付勢手段と、
前記支基における枢軸より下方の部分と背凭れにおける前記軸より下方の部分とを連結し、座の下向き回動時に背凭れの下端部を後方に押動することにより、背凭れを起立状態に維持し、また弾性収縮することにより、座に対する背凭れの後傾を可能とする、前後方向を向く弾性伸縮可能の押動杆
とを備える椅子において、
前記付勢手段を、前記支基における枢軸より下方の部分と座における前記枢軸より後方の部分とに各端部が連結された前後方向を向く弾性伸縮手段を備えるものとし、かつ押動杆を、前端部が前記弾性伸縮手段の両側方において支基に止着された左右１対の足片と、両足片の後端に連設された弾性撓曲部と、前記弾性伸縮手段の下方において前記両足片同士を連結する連結片とを備えるものとしたことを特徴とする椅子。
【請求項５】
弾性伸縮手段の前端部および押動杆の両足片の前端部を、左右方向を向く共通の軸をもって支基に枢着した請求項４記載の椅子。
【請求項６】
付勢手段が、さらに、一端が座の下面に固着され、かつ他端が支基における前記枢軸より下方の部分に止着されて、中間部がほぼＵ字状をなして弾性撓曲するようにした左右１対の弾性撓曲手段を備えるものとし、両弾性撓曲手段間に、弾性伸縮手段および押動杆を配設した請求項４または５記載の椅子。
【請求項７】
各弾性撓曲手段を板ばねとし、その一端部を座の下面に止着し、かつ他端部を、弾性伸縮手段の前端部および押動杆の前端部とともに、左右方向を向く共通の軸をもって支基に枢着した請求項６記載の椅子。
【発明の詳細な説明】
【技術分野】
【０００１】
本発明は、椅子、特に、不使用状態では、座の後部が持ち上がり、着座者が着座する際には、座が、着座者の臀部に当接して、臀部とともにほぼ水平位置まで回動することにより、着座を誘導し、着座者が立上る際には、座の後部が持ち上がって、起立を補助するようにした椅子に関する。
【背景技術】
【０００２】
この種の椅子としては、座を、椅子の下部構成体に対して、水平、または後下向きに傾斜する使用位置と、後上向きに傾斜する不使用位置との間を回動可能として支持し、前記座の後部に、背凭れを、起立位置と後傾位置とに回動可能として枢着し、前記座を不使用位置に向かって、また前記背凭れを起立位置に向かって付勢する付勢手段を設け、さらに、前記座と背凭れとを、座が不使用位置から使用位置まで回動する間は、前記背凭れをほぼ垂直状態に維持するように連係する連係手段を設けたものがある(例えば特許文献１参照)。
【０００３】
また、リンク機構と弾性抵抗手段をもって、座と背凭れとを、上記と同様に移動するようにしたものもある(例えば特許文献２参照)。
【先行技術文献】
【特許文献】
【０００４】
【特許文献１】特開２０１０−１０４５６２号公報
【特許文献２】特許第４３７９５３８号公報
【発明の概要】
【発明が解決しようとする課題】
【０００５】
しかし、上述のような従来の椅子においては、いずれも、座の下方に多数のリンク機構を配設しなければならないため、座の下方に、それらを収容するための大きなスペースを確保しなければならず、また、それらのリンク機構が外部に露呈して、椅子としての美観を損なうおそれがある。
特に、座の前後方向の中間部を、上下方向を向くリンクをもって押し上げるようにしたものにおいては、座の下方に上下方向に大きいスペースを確保しなければならない。
【０００６】
本発明は、上記問題点に鑑みてなされたもので、座を上向きに付勢する付勢手段と、座の下向き回動時に背凭れの下端部を後方に押動する押動杆とを、座の下方の上下方向に狭いスペース内に、互いに干渉することなく、また左右方向にバランスよく配設しうるようにした、構造が簡単で、体裁のよい椅子を提供することを目的としている。
【課題を解決するための手段】
【０００７】
本発明によると、上記課題は、次のようにして解決される。
（１）脚によって支持された支基と、前記支基に、左右方向を向く枢軸をもって枢着され、水平、または後下向き傾斜する使用位置と、後上向き傾斜する不使用位置との間を回動可能とした座と、前記座の後部に、左右方向を向く軸をもって下部が枢着され、起立位置と後傾位置とに回動可能とした背凭れと、前記支基に設けられ、かつ座における前記枢軸より後部を上向きに付勢する付勢手段と、前記支基における枢軸より下方の部分と背凭れにおける前記軸より下方の部分とを連結し、座の下向き回動時に背凭れの下端部を後方に押動することにより、背凭れを起立状態に維持し、また弾性収縮することにより、座に対する背凭れの後傾を可能とする、前後方向を向く弾性伸縮可能の押動杆とを備える椅子において、前記付勢手段を、一端が座の下面に固着され、かつ他端が支基における前記枢軸より下方の部分に止着されて、中間部がＵ字状をなして弾性撓曲するようにした左右１対の弾性撓曲手段を備えるものとし、この両弾性撓曲手段間に、前記押動杆を配設する。
【０００８】
このような構成とすると、座を上向きに付勢する付勢手段と、座の下向き回動時に背凭れの下端部を後方に押動する押動杆とを、座の下方の上下方向に狭いスペース内に、互いに干渉することなく、また左右方向にバランスよく配設することができる。
さらに、付勢手段と押動杆とを、座の下方の上下方向に狭いスペース内に配設できるのに伴って、椅子としての体裁をよくすることができる。
【０００９】
（２）上記(１)項において、左右の弾性撓曲手段を、平面視において互いに後方に向かって拡開するように配設する。
【００１０】
このような構成とすると、前端部が支基に枢着された座の後部を、左右方向にぐらつくことなく、安定よく支持することができる。
【００１１】
（３）上記(１)または(２)項において、各弾性撓曲手段を板ばねとし、その一端部を座の下面に止着し、かつ他端部を、押動杆の前端部とともに、左右方向を向く共通の軸をもって支基に枢着する。
【００１２】
このような構成とすると、構造を簡素化できるだけでなく、支基への各弾性撓曲手段と押動杆との枢着作業を簡略化することができる。
【００１３】
（４）脚によって支持された支基と、前記支基に、左右方向を向く枢軸をもって前部が枢着され、水平、または後下向き傾斜する使用位置と、後上向き傾斜する不使用位置との間を回動可能とした座と、前記座の後部に、左右方向を向く軸をもって下部が枢着され、起立位置と後傾位置とに回動可能とした背凭れと、前記支基に設けられ、かつ座における前記枢軸より後部を上向きに付勢する付勢手段と、前記支基における枢軸より下方の部分と背凭れにおける前記軸より下方の部分とを連結し、座の下向き回動時に背凭れの下端部を後方に押動することにより、背凭れを起立状態に維持し、また弾性収縮することにより、座に対する背凭れの後傾を可能とする、前後方向を向く弾性伸縮可能の押動杆とを備える椅子において、前記付勢手段を、前記支基における枢軸より下方の部分と座における前記枢軸より後方の部分とに各端部が連結された前後方向を向く弾性伸縮手段を備えるものとし、かつ押動杆を、前端部が前記弾性伸縮手段の両側方において支基に止着された左右１対の足片と、両足片の後端に連設された弾性撓曲部と、前記弾性伸縮手段の下方において前記両足片同士を連結する連結片とを備えるものとする。
【００１４】
このような構成とすると、座を上向きに付勢する付勢手段と、座の下向き回動時に背凭れの下端部を後方に押動する押動杆とを、座の下方の上下方向に狭いスペース内に、互いに干渉することなく、また左右方向にバランスよく配設することができる。
さらに、付勢手段と押動杆とを、座の下方の上下方向に狭いスペース内に配設できるのに伴って、椅子としての体裁をよくすることができる。
【００１５】
（５）上記(４)項において、弾性伸縮手段の前端部および押動杆の両足片の前端部を、左右方向を向く共通の軸をもって支基に枢着する。
【００１６】
このような構成とすると、構造を簡素化できるだけでなく、支基への弾性伸縮手段と押動杆との枢着作業を簡略化することができる。
【００１７】
（６）上記(４)または(５)項において、付勢手段が、さらに、一端が座の下面に固着され、かつ他端が支基における前記枢軸より下方の部分に止着されて、中間部がほぼＵ字状をなして弾性撓曲するようにした左右１対の弾性撓曲手段を備えるものとし、両弾性撓曲手段間に、弾性伸縮手段および押動杆を配設する。
【００１８】
このような構成とすると、付勢手段の左右方向のバランスを崩すことなく、付勢手段の付勢力を大とすることができるとともに、左右の弾性撓曲手段をも、座の下方の上下方向に狭いスペース内に、互いに干渉することなく、また押動杆とも干渉することなく、配設することができる。
【００１９】
（７）上記(６)項において、各弾性撓曲手段を板ばねとし、その一端部を座の下面に止着し、かつ他端部を、弾性伸縮手段の前端部および押動杆の前端部とともに、左右方向を向く共通の軸をもって支基に枢着する。
【００２０】
このような構成とすると、弾性撓曲手段の構造を簡素化し、安価に製造することができるとともに、支基への支基への各弾性撓曲手段と弾性伸縮手段と押動杆との枢着作業をより簡略化することができる。
【発明の効果】
【００２１】
本発明によると、座を上向きに付勢する付勢手段と、座の下向き回動時に背凭れの下端部を後方に押動する押動杆とを、座の下方の上下方向に狭いスペース内に、互いに干渉することなく、また左右方向にバランスよく配設しうるようにした、構造が簡単で、体裁のよい椅子を提供ことができる。
【図面の簡単な説明】
【００２２】
【図１】本発明の椅子の一実施形態の不使用状態における正面図である。
【図２】同じく、側面図である。
【図３】同じく、使用状態における側面図である。
【図４】同じく、使用状態において、背凭れを後傾させたときの側面図である。
【図５】同じく、不使用状態の椅子における中央部分を、座のクッション材を省略して示す中央縦断側面図である。
【図６】同じく、支基と支基に装着された部材とを、斜め前上方より見た一部分解斜視図である。
【図７】板ばねの平面図である。
【図８】板ばねの側面図である。
【図９】圧縮ばねの平面図である。
【図１０】圧縮ばねの側面図である。
【図１１】図９におけるXI−XI線拡大断面図である。
【発明を実施するための形態】
【００２３】
以下、本発明の一実施形態を、添付図面に基づいて説明する。
図１〜図４に示すように、この椅子は、先端部にキャスタ１を備える放射状をなす５本の脚杆２を有する脚体３を備えている。脚体３の中央には、ガススプリング(図示略)を備える伸縮式の脚柱４が立設され、脚柱４の上端には、前方を向く支基５の後部が固着されている。なお、支基５と脚柱４と脚体３とを一体化して実施してもよい。
【００２４】
支基５は、図６に示すように、前方に向かって拡開する平面視三角形の浅い皿状をなすとともに、側面視において前上方に向かって傾斜している。また、図１に示すように、支基５は、前方より見て上向きコ字状をなし、前方に開口しているので、支基５への部材の取付け作業時に、側方や後方だけでなく、前方からも部材や工具等を挿入し易いようになっている。
【００２５】
座６は、合成樹脂製の座板７と、その上面に取付けられたクッション材８とからなり、座板７の前端両側部を、支基５の前端両側部に左右方向を向く枢軸９をもってそれぞれ枢着することにより、図２に示すように、後上向きに傾斜する不使用位置と、図３に示すように、水平、または後下向きに傾斜する使用位置とに、枢軸９を中心として回動可能である。この回動範囲は、ほぼ１５度程度とするのが好ましい。
【００２６】
座６は、後述する付勢手段１２により、常時不使用位置に向かって上向きに付勢されている。
図２に示すように、座６が不使用位置にあるとき、着座者が座ろうとする際に最初に当接する初期当接部Ｐが、脚柱４の中心線Ｏよりも後方に位置するようにしてある。
この初期当接部Ｐは、座６が使用位置にあるときは、着座者が適正な着座姿勢で着座したとき、その臀部である座骨部付近を安定よく支持する安定支持部と一致するように定めておくのが好ましい。
【００２７】
この初期当接部Ｐを、座６が不使用位置にあるとき、脚柱４の中心線Ｏよりも後方に位置するようにしておくと、着座者が不使用位置にある座６に着座する際に、着座者の臀部が座６の初期当接部Ｐに当接したとき、椅子が後方に移動するという不都合が生じるおそれはない。
また、着座者の臀部が座６の初期当接部Ｐに当接した後、座６は、着座者の臀部とともに、付勢手段１２の付勢力に抗して使用位置まで回動し、着座者の臀部を安定支持点まで誘導して、着座者が迅速に適正な着座姿勢を取ることができるとともに、着座者の荷重が脚柱４よりも後方に加わるので、座６の後部により、着座者の臀部を安定よく支持することができる。
【００２８】
不使用位置に位置しているときの座６の後上向き傾斜角度は、大とすればするほど、初期当接部Ｐが前方に移動して、脚柱４に接近するか、もしくはその前方に位置するようになるが、上記のように、初期当接部Ｐが、脚柱４の中心線Ｏよりも後方に位置するように、不使用位置に位置しているときの座６の後上向き傾斜角度を制限するのが好ましい。
【００２９】
座板７の後部両側には、背凭れ１０の下部両側より前方を向く延出部１０ａの前部が、脚柱４の中心線Ｏよりも後方に位置するようにして、左右方向を向く支軸１１をもってそれぞれ枢着され、背凭れ１０は、図２および図３に示すように、ほぼ上方を向く起立位置と、図４に示すような後傾位置とに、支軸１１を中心として回動可能である。なお、この背凭れ１０およびその枢着部分の具体的な構造については、本発明と直接関係しないので、その詳細な図示および説明は省略する。
【００３０】
支基５には、座６の後部を上向きに付勢する付勢手段１２が設けられている。
この付勢手段１２は、支基５における枢軸９より下方の部分と座６における枢軸９より後方の部分とを連結する弾性伸縮手段１３と、この弾性伸縮手段１３の両側方において、座６の下面に前上端部が固着され、中間部が側面視において前方に向かって開口するＵ字状に弾性撓曲させられ、かつ前下端部が支基５における枢軸９より下方の位置に止着された左右１対の弾性撓曲手段１４、１４とを備えている。
【００３１】
弾性伸縮手段１３は、この例では、図２、図５および図６に示すように、前端部が支基５に左右方向の軸１５をもって枢着され、かつ後端部が座６の下面における前後方向の中間部に左右方向の軸ピン１６をもって枢着された、ロック機能のないガススプリング１７としてある。しかし、ロック機能を有するガススプリングや、圧縮コイルばね、またはオイルダンパもしくはエアダンパ等とすることもできる。
ロック機能を有するガススプリングとする場合には、そのロック解除操作手段を、例えば肘掛け(図示略)の一部等に設けるのが好ましい。
【００３２】
左右の各弾性撓曲手段１４は、この例では、図５〜図８に示すように、座６の下面における両側前部にねじ止め等により止着された前後方向に長い長方形の上部取付部１８ａと、この上部取付部１８ａから後方に延出する上片１８ｂと、上片１８ｂの後端から前下方へ向かってほぼ半円弧状に湾曲する弾性撓曲部１８ｃと、弾性撓曲部１８ｃの下端から前方または前下方に延出する下片１８ｄと、下片１８ｄの前端に設けられ、かつ支基５に取付けるための下部取付部１８ｅとを有する合成樹脂製の左右１対の板ばね１８、１８からなるものとしてある。なお、各板ばね１８は、金属製としてもよい。
【００３３】
左右の板ばね１８、１８における両下片１８ｄ、１８ｄの左右方向の幅は、前方に向かって漸次小としてある。これは、ガススプリング１７や後述する押動杆２３との干渉を避けて、座６の下方の狭い空間内に、それらを集約的に収容するためである。
【００３４】
また、左右の板ばね１８、１８は、図６に示すように、その両下片１８ｄ、１８ｄ同士が、平面視において互いに後方に向かって拡開するように配設するのが好ましい。さらに、両上片１８ｂ、１８ｂ同士も、平面視において互いに後方に向かって拡開するように配設するのが好ましい。そのようにすることによって、座６の後部を安定よく支持することができる。
【００３５】
左右の板ばね１８、１８における下部取付部１８ｅ、１８ｅは、上記軸１５の両側端部に枢着されている。
【００３６】
軸１５は、次のようにして、支基５の前部上面に固定されている。すなわち、図５および図６に示すように、支基５における枢軸９より下方の前部の底面に、左右方向を向く凹部５ａを設け、この凹部５ａ内に左右方向に並べて設けた複数の突部１９の上面に、上方および左右両方向に開口するＵ字状の凹溝２０をそれぞれ設け、各凹溝２０に軸１５を嵌合したのち、各突部１９の上面に、押え金具２１を、ねじ２２、２２をもって止着することにより、軸１５は、回動不能(回動可能としてもよい)として支基５の前端部上面に固定されている。
【００３７】
付勢手段１２を、弾性伸縮手段１３と、この弾性伸縮手段１３の両側方に配設した左右１対の弾性撓曲手段１４とを備えるものとしてあるので、座６の後部を、左右のバランスよく持ち上げることができるとともに、座６を安定よく支持することができる。
また、弾性伸縮手段１３と弾性撓曲手段１４とを、小型化して、座６の下方にコンパクトに配設することができるので、椅子の体裁をよくすることができる。
【００３８】
上記のように、弾性伸縮手段１３をガススプリング１７とし、弾性撓曲手段１４を板ばね１８とすると、弾性伸縮手段１３および弾性撓曲手段１４の構造は簡素化され、安価に製造することができる。
【００３９】
また、弾性伸縮手段１３の前端部と弾性撓曲手段１４の下側の前端部とを、左右方向を向く共通の軸１５をもって支基５に枢着してあるから、構造を簡素化できるだけでなく、支基５への弾性伸縮手段１３と弾性撓曲手段１４との枢着作業を簡略化することができる。
【００４０】
弾性撓曲手段１４である板ばね１８における後部の側面視半円弧状の弾性撓曲部１８ｃの上面は、座６の下面に当接しており、座６の下向き回動時に、板ばね１８における上部取付部１８ａと下部取付部１８ｅとの間隔が縮まることにより、下片１８ｄが後上方に押し出され、弾性撓曲部１８ｃが、座６の下面に沿って漸次後方に移行するように、板ばね１８は弾性変形する。
このように板ばね１８が弾性変形することによって、板ばね１８の同一箇所に応力が集中するのを防止し、板ばね１８の耐久性を向上することができるとともに、板ばね１８の反力を増大させることができる。
結果的に、板ばね１８の反力は、座６を下向き回動させればさせるほど大となる。
【００４１】
支基５における枢軸９より下方の部分と、背凭れ１０における上記支軸１１より下方の部分とは、前後方向を向く弾性伸縮可能の押動杆２３により連結されている。
座６の不使用位置から使用位置への下向き回動時に、この押動杆２３により、背凭れ１０の下端部が後方に押動されて、背凭れ１０は起立状態に維持され、また押動杆２３が弾性収縮することにより、背凭れ１０は、この押動杆２３の弾性復元力に抗して、図４に示すように、後傾させることができる。
【００４２】
図６および図９〜図１１に示すように、押動杆２３は、前端部が弾性伸縮手段１３であるガススプリング１７の両側方において、左右方向の軸１５により支基５に枢着された硬質かつ非可撓性の左右１対の足片２３ａ、２３ａと、両足片２３ａ、２３ａの後端に連設された断面円形の後方を向く左右１対の弾性撓曲部２３ｂ、２３ｂと、ガススプリング１７の下方において両足片２３ａ、２３ａの後端部同士を連結する硬質かつ非可撓性の連結片２３ｃと、両弾性撓曲部２３ｂ、２３ｂの後端部同士を連結する硬質かつ非可撓性の連結部２３ｄとを有する圧縮ばねにより構成してある。
連結片２３ｃの中央部は、ガススプリング１７の下面と干渉しないように、下方に凹ませてある。なお、押動杆２３は、例えばポリアミド系の硬質合成樹脂により一体成形するのが好ましい。
【００４３】
左右の足片２３ａ、２３ａの前端部には、軸１５に挿通される左右方向の軸孔２４が形成されている。
また、後端の左右方向に幅広の連結部２３ｄにも、左右方向を向く軸孔２５が設けられ、この軸孔２５には、連結部２３ｄを、背凭れ１０の下端部前面の左右方向の中央部に前向き突設された左右１対の軸受片２６に枢着するための軸ピン２７が挿通されている(図５参照)。
【００４４】
左右の弾性撓曲部２３ｂ、２３ｂは、椅子の左右方向外方に向かって概ね凸円弧状に湾曲され、かつ断面形状はほぼ円形とされている。
押動杆２３における左右の弾性撓曲部２３ｂ、２３ｂと、それらの各端部同士を連結する連結片２３ｃ、および連結部２３ｄとにより、平面視ほぼ円形の閉ループ状に形成されている。
【００４５】
押動杆２３を、両弾性撓曲部２３ｂ、２３ｂが椅子の左右に並ぶように配設して、支基５と背凭れ１０に連結することにより、背凭れ１０の後傾時において、弾性撓曲部２３ｂ、２３ｂは、図９に２点鎖線で示すように、互いに左右方向外向きに膨らむように弾性撓曲する。なお、左右の弾性撓曲部２３ｂ、２３ｂを、上記とは反対に、互いに内向き円弧状に湾曲させて、両弾性撓曲部２３ｂが、椅子の左右方向内方に向かって弾性撓曲するようにすることもある。
【００４６】
なお、図１０に示すように、左右の弾性撓曲部２３ｂ、２３ｂの中間部は、側面視においてわずかに下向き円弧状に湾曲され、両弾性撓曲部２３ｂに前後方向の圧縮荷重が作用した際に、それらの中間部が、両弾性撓曲部２３ｂを含む平面と直交する下方にも弾性変形しうるようにしてある。なお、弾性撓曲部２３ｂを、上記とは反対に、上向き円弧状に湾曲させてもよい。
【００４７】
押動杆２３として使用した圧縮ばねは、前後の両端間に前後方向の圧縮力が作用した際に、両弾性撓曲部２３ｂ、２３ｂは、圧縮方向と直交する方向に弾性撓曲し、２部材(支基５と背凭れ１０)の一方が、上記の背凭れ１０のように回動しながら相対移動するものであっても、両弾性撓曲部２３ｂ、２３ｂは効果的に弾性撓曲して、ばね力を発揮することができ、汎用性の高いものとなる。
【００４８】
また、ガススプリング等のシリンダ式の圧縮ばねに比して、構造が簡単であるため、安価で軽量感のある圧縮ばねを提供することができる。
さらに、両弾性撓曲部２３ｂ、２３ｂと、それらの端部同士を連結する前後の硬質の連結片２３ｃおよび連結部２３ｄとにより、平面視円形または非円形(互いに内方に弾性撓曲させる場合等)の閉ループ状に形成されているので、弾性撓曲部２３ｂを効果的に弾性撓曲させて、大きなばね力を得ることができ、かつ繰り返し荷重に対しても十分な強度および耐久性を有することができる。しかも、各弾性撓曲部２３ｂをほぼ円形断面としてあるので、どのような方向にも効果的に弾性変形させることができる。
【００４９】
両弾性撓曲部２３ｂを、それらを含む平面と直交する方向にも弾性変形しうるようにしてあるので、前後の端部間の相対移動量が大となり、背凭れ１０を大きく後傾させることができる。
【００５０】
上記のような圧縮ばねを、上記実施形態の椅子において支基５と背凭れ１０との間に押動杆２３として装着すると、背凭れ１０を後傾させた際に、左右の弾性撓曲部２３ｂ、２３ｂは、左右方向に弾性撓曲するので、支基５と座６との間に、押動杆２３の上下方向の撓み空間を殆ど設ける必要がなく、座６が使用位置にあるときの高さを低く設定することができる。
【００５１】
また、押動杆２３とした圧縮ばねは、ガススプリングやゴムトーションスプリングのような背凭れ付勢手段に比して、構造が簡単で安価であるので、椅子を軽量化することができるとともに、コスト低減が図れる。
【００５２】
さらに、押動杆２３は、前部の左右１対の足片２３ａと、後部の左右方向に幅広の連結部２３ｄとを、それぞれ左右方向の軸１５および軸ピン２７をもって、支基５と背凭れ１０に枢着してあるので、それを安定よく弾性変形させることができる。
【００５３】
押動杆２３における足片２３ａ、２３ａの前端部を、弾性伸縮手段１３であるガススプリング１７の前端部と、弾性撓曲手段１４である左右の板ばね１８、１８の下部取付部１８ｅ、１８ｅとともに、左右方向を向く共通の軸１５をもって支基５に枢着してあるので、構造をさらに簡素化できるだけでなく、支基５への弾性伸縮手段１３と弾性撓曲手段１４と押動杆２３との枢着作業をさらに簡略化することができる。
【００５４】
以上のような構成とした椅子は、図２に示す不使用状態では、付勢手段１２の付勢力によって、座６の後部が上方に持ち上げられ、座６は後上向き傾斜する不使用位置に位置しており、背凭れ１０は、押動杆２３の伸長により、ほぼ上方を向く起立位置に保持されている。
【００５５】
この状態で、着座者が着座しようとすると、まず着座者の臀部が、上述したように座６の初期当接部Ｐに当接し、座６は着座者の臀部とともに、付勢手段１２の付勢力に抗して、図３に示す使用位置まで回動させられ、着座者の臀部を安定支持点まで誘導し、着座者は迅速に適正な着座姿勢を取ることができる。
【００５６】
図３に示す着座状態から、着座者が背中を背凭れ１０に凭せかけて背を後方に倒すと、背凭れ１０は、押動杆２３を弾性収縮させつつ、支軸１１を中心として、図４に示すような後傾位置まで回動させられる。この押動杆２３の弾性収縮の初期に、硬質の連結部２３ｄが軸ピン２７により前方に押動され、そのときの左右の弾性撓曲部２３ｂ、２３ｂにおける連結部２３ｄへの結合部分が若干上下方向に捩れつつ、弾性撓曲部２３ｂ、２３ｂ全体が、図９に２点鎖線で示すように、互いに左右方向外向きに膨らむように弾性撓曲するとともに、上下方向にも若干蛇行するように弾性変形する。
【００５７】
着座者が背中を前方に戻すと、背凭れ１０は、押動杆２３の弾性復元力による伸長によって、支軸１１を中心として前方に回動させられ、元の起立位置まで戻される。
【００５８】
図３に示す着座状態から、着座者が立上がろうとすると、座６は、弾性伸縮手段１３と弾性撓曲手段１４との相乗作用により、不使用位置に向かって上向き回動するように付勢され、着座者の起立をアシストすることができる。
【００５９】
本発明は、上記実施形態のみに限定されるものではなく、特許請求の範囲を逸脱しない範囲で、幾多の変形した態様での実施が可能である。
【符号の説明】
【００６０】
１  キャスタ
２  脚杆
３  脚体
４  脚柱
５  支基
５ａ凹部
６  座
７  座板
８  クッション材
９  枢軸
１０  背凭れ
１０ａ延出部
１１  支軸
１２  付勢手段
１３  弾性伸縮手段
１４  弾性撓曲手段
１５  軸
１６  軸ピン
１７  ガススプリング
１８  板ばね
１８ａ上部取付部
１８ｂ上片
１８ｃ弾性撓曲部
１８ｄ下片
１８ｅ下部取付部
１９  凸部
２０  凹溝
２１  押え金具
２２  ねじ
２３  押動杆(圧縮ばね)
２３ａ足片(硬質部)
２３ｂ弾性撓曲部
２３ｃ連結片(硬質部)
２３ｄ連結部(硬質部)
２４、２５  軸孔
２６  軸受片
２７  軸ピン
【図１】
0005576186.tif 000002
【図２】
0005576186.tif 000003
【図３】
0005576186.tif 000004
【図４】
0005576186.tif 000005
【図５】
0005576186.tif 000006
【図６】
0005576186.tif 000007
【図７】
0005576186.tif 000008
【図８】
0005576186.tif 000009
【図９】
0005576186.tif 000010
【図１０】
0005576186.tif 000011
【図１１】
0005576186.tif 000012